(57)【特許請求の範囲】
【請求項１】
雨水槽と管体とを接続するための雨水槽支管であって、
通孔を有するフランジ部と、
前記管体を接続するために前記通孔に連通させて前記フランジ部に設けられる筒状部と、
前記雨水槽に係脱自在な係止手段を有し、前記フランジ部に設けられる取付部と、
を備え、
前記係止手段は、上下方向に所定間隔を有して前記取付部に設けられ、前記雨水槽に多数形成された浸透孔に係止される一対の係止片からなる、雨水槽支管。
【請求項２】
前記取付部が、前記フランジ部の左右の幅方向に所定間隔を有して取付けられる一対の取付部材からなり、該取付部材への前記フランジ部の取付位置が上下に調整可能な、
請求項１に記載された雨水槽支管。
【請求項３】
雨水槽と管体とを接続するための雨水槽支管であって、
通孔を有するフランジ部と、
前記管体を接続するために前記通孔に連通させて前記フランジ部に設けられる筒状部と、
前記雨水槽に係脱自在な係止手段を有し、前記フランジ部に設けられる取付部と、
を備え、
前記取付部が、前記フランジ部の左右の幅方向に所定間隔を有して取付けられる一対の取付部材からなり、該取付部材への前記フランジ部の取付位置が上下に調整可能な、
雨水槽支管。
【請求項４】
前記係止手段は、上下方向に所定間隔を有して前記取付部に設けられ、前記雨水槽に多数形成された浸透孔に係止される一対の係止凸部からなる、請求項３に記載された雨水槽支管。
【請求項５】
雨水槽と管体とを接続するための雨水槽支管であって、
通孔を有するフランジ部と、
前記管体を接続するために前記通孔に連通させて前記フランジ部に設けられる筒状部と、
前記雨水槽に係脱自在な係止手段を有し、前記フランジ部に設けられる取付部と、
を備え、
前記係止手段は、上下方向に所定間隔を有して前記取付部に設けられ、前記雨水槽に多数形成された浸透孔に係止される一対の係止凸部からなる、
雨水槽支管。
【請求項６】
前記通孔及び筒状部の中心が、前記フランジ部の中心よりも上方に位置ずれしている、請求項１から５までの何れか一項に記載された雨水槽支管。
【請求項７】
雨水槽と管体とを接続するための雨水槽支管であって、
通孔を有するフランジ部と、
前記管体を接続するために前記通孔に連通させて前記フランジ部に設けられる筒状部と、
前記雨水槽に係脱自在な係止手段を有し、前記フランジ部に設けられる取付部と、
を備え、
前記通孔及び筒状部の中心が、前記フランジ部の中心よりも上方に位置ずれしている、雨水槽支管。
【発明の詳細な説明】
【技術分野】
【０００１】
本発明は、雨水が貯留等される雨水槽に、流入管や流出管等の各種管体を接続する場合に使用される雨水槽支管に関する。
【背景技術】
【０００２】
従来、この種の雨水槽に流入管等の管体を接続する場合は、例えば次のようにして行なわれる。先ず、予め組立てられた雨水槽を地中の設置孔に設置した後、その側面や上面に孔開け加工を行って、流入口や取水口を形成する。その後、流入口や取水口に管体が接続されることになる（特許文献１参照）。
【先行技術文献】
【特許文献】
【０００３】
【特許文献１】特開２００４−２１１３１６号公報
【発明の概要】
【発明が解決しようとする課題】
【０００４】
しかしながら、上記のような現場に於ける雨水槽の孔開け加工は非常に厄介なものであるために、相当の作業時間を要すると共に、作業者にかかる負担が大きくなるという問題点を有していた。
【０００５】
それ故に、本発明は、かかる点に鑑みてなされたものであり、その目的とするところは、現場に於いて、雨水槽に管体を接続する一連の施工作業を簡易に且つ効率良く行えるようにして、作業者にかかる負担を大幅に軽減することにある。
【課題を解決するための手段】
【０００６】
本発明に係る雨水槽支管は、雨水槽と管体との間に接続される雨水槽支管であって、通孔を有するフランジ部と、前記管体を接続するために前記通孔に連通させて前記フランジ部に設けられる筒状部と、前記雨水槽に係脱自在な係止手段を有し、前記フランジ部に設けられる取付部とを備えたものである。
【０００７】
このような雨水槽支管にあっては、その取付部の係止手段を雨水槽に係止させた後に、筒状部に管体を接続すれば、雨水槽支管を介して雨水槽と管体とを接続することができる。従って、現場に於いて雨水槽に管体取付用の孔を加工していた従来のものと比較して、一連の施工作業を極めて簡易に且つ効率良く行うことができる。加えて、孔開け加工のために使用していた機械器具の現場への搬入等も不要となるために、作業者にかかる負担が大幅に軽減される。
【０００８】
尚、雨水槽支管に接続される管体としては、例えば流入管、流出管、オーバーフロー管等を挙げることができる。これにより、流入管からの雨水等は雨水槽支管を介して雨水槽内に流入し、雨水槽内からの雨水等は雨水槽支管を介して流出管又はオーバーフロー管に流出されることになる。
【０００９】
また、前記取付部を、フランジ部の左右の幅方向に所定間隔を有して取付けられる一対の取付部材で構成し、該取付部材への前記フランジ部の取付位置を上下に調整できるようにしてもよい。
【００１０】
これによると、フランジ部の取付位置を適宜上下に調整することにより、筒状部を介して管体の取付け高さを柔軟に変更することができる。
【００１１】
更に、前記係止手段は、上下方向に所定間隔を有して取付部に設けられ、前記雨水槽に多数形成された浸透孔に係止される一対の係止片で構成してもよい。
【００１２】
このような、上下一対の係止片を雨水槽の浸透孔に係止させるという作業は極めて簡易に行えるために、作業者に負担をかけるようなことはない。また、このように上下一対の係止片が雨水槽の浸透孔に係止させることにより、雨水槽支管を雨水槽に確実且つ強固に取付けることができる。また、一般に浸透孔は雨水槽に予め形成されているものであるために、その有効利用を図ることができる。
【００１３】
更に、前記係止手段は、係止片に代えて係止凸部で構成することもできる。
【００１４】
この場合に於いても、係止片の場合と同様の作用効果を得ることができる。
【００１５】
また、前記通孔及び筒状部の中心は、前記フランジ部の中心よりも上方に位置ずれするようにしても構わない。
【００１６】
これによると、通孔及び筒状部を雨水槽の上部側に配置することができるために、雨水槽の容量を最大限利用することが可能になる。
【００１７】
更に、前記筒状部には、管体を接続するための受口構造を備えさせることも可能である。
【００１８】
これによると、種々の機能を備えた受口構造を雨水槽支管に備えさせることが可能になる。例えば、可撓受口構造としての継手等を前記筒状部に設けることにより、外力が作用して雨水槽支管に生じる振動や変位等を良好に吸収できる耐震機能を備えさせることが可能になる。特に、雨水槽支管や管体等は地中に埋設されるものであるために、このような耐震機能を備えさせておくことは大変有効である。
【発明の効果】
【００１９】
本発明によれば、現場に於いて、雨水槽に管体を接続する一連の施工作業を簡易に且つ効率的に行うことが可能となり、作業者にかかる負担を大幅に軽減することができる。
【図面の簡単な説明】
【００２０】
【図１】本発明の一実施形態に係る雨水槽支管を示し、（ａ）は正面図で、（ｂ）は一部断面を含む側面図である。
【図２】取付部の一実施形態を示し、（ａ）は正面図で、（ｂ）は背面図で、（ｃ）は縦断面図である。
【図３】複数の管体が接続された雨水槽を示し、（ａ）は正面図で、（ｂ）は側面図である。
【図４】取付部の他の実施形態を示し、（ａ）は正面図で、（ｂ）は背面図で、（ｃ）は縦断面図で、（ｄ）は横断面図である。
【図５】貯留材の上面に管体を接続する際に使用される雨水槽支管を示す、一部断面を含む正面図である。
【図６】他の係止手段を備えた取付部材を示し、（ａ）は正面図で、（ｂ）は背面図で、（ｃ）は縦断面図である。
【図７】（ａ）及び（ｂ）は他の継手を備えた雨水槽支管を示す、一部断面を含む側面図である。
【発明を実施するための最良の形態】
【００２１】
図１に示すように、本実施形態に係る雨水槽支管１は、通孔２が形成された平板状のフランジ部３と、通孔２に連通させてフランジ部３の前面に設けられた筒状部４と、左右の幅方向に所定間隔を有してフランジ部３の背面両側に設けられた、取付部としての一対の取付部材５とを備えている。筒状部４には、受口構造としての継手６が接続され、継手６は異径部６ａを有している。
【００２２】
通孔２及び筒状部４の中心Ｏは、フランジ部３の中心Ｏ‘よりも距離Ｌだけ上方に位置ずれしており、通孔２及び筒状部４はフランジ部３の上部側に配されている。但し、必ずしもこのように構成する必要はなく、通孔２及び筒状部４の中心Ｏは、フランジ部３の中心Ｏ‘と一致させたり、下方に位置ずれさせるようにしても構わない。フランジ部３の両側には、前記取付部材５を固定するための複数の円孔１０が上下方向に形成されている。
【００２３】
取付部材５は、図２（ｃ）に示すように、上部側程後方に傾斜する取付部材本体２０を備えている。取付部材本体２０の前面には、外周面に雄ネジ部２１を有する一対のネジ杆２２が、上下方向に所定間隔を有して前向きに突設されている。図１に示すように、各ネジ杆２２はフランジ部３の所定の円孔１０に夫々挿通され、その雄ネジ２１にはナット２３が締着される。これにより、一対の取付部材５がフランジ部３に固定される。通常、雨水槽支管１は、このように組立てられた状態で施工現場に搬送され、施工作業が行われる。これによれば、雨水槽支管１の取扱いが非常に簡易なものとなるために、効率良く一連の作業を行うことができる。
【００２４】
また、フランジ部３の円孔１０は、上下方向に間隔を有して複数形成されているので、取付部材５に対するフランジ部３の取付位置を上下に調整することができる。これによると、例えば現場に於ける急な設計変更等に対しても柔軟に対応することが可能となり、極めて有用である。但し、円孔１０は必ずしも形成する必要はなく、取付部材５をフランジ部３に一体的に設けた場合等は、省略することが可能である。また、円孔１０に代えて長孔を上下方向に形成するようにしても構わない。これによると、フランジ部３の取付位置を更に細かく調整することが可能になる。
【００２５】
前記取付部材本体２０の背面側には、上下に所定間隔を有して一対の係止片２４、２５が形成されている。上側の係止片２４は先端部が上向きに折曲形成されており、下側の係止片２５の先端部は下向きに折曲形成されている。尚、各係止片２４、２５は後述する貯留材３１の浸透孔３０に係脱自在に係止される。また、取付部材本体２０の前面側には、図２（ａ）及び（ｃ）に示すように、補強用のリブ２６が形成されている。このリブ２６は、取付部材本体２０の上下両端に夫々略水平に形成される端部水平リブ２６ａと、各端部水平リブ２６ａの中央部を、前記ネジ杆２２を介して結ぶように略垂直に形成される中央垂直リブ２６ｂと、各ネジ杆２２の側部に略水平に形成される水平リブ２６ｃとからなっている。
【００２６】
本実施形態に係る雨水槽支管１は、以上のように構成されている。次に、雨水槽支管１を使用して雨水槽Ａに流入管Ｂを接続する場合について説明する。尚、雨水槽Ａは、雨水を貯留すると共に、これを地中に浸透させるために地中に埋設される。この雨水槽Ａは、例えば図３に示すように、側面及び上面に多数の浸透孔３０を有する中空状の貯留材３１を上下に段積みすると共に、左右に連結して形成される。また、貯留材３１の側面３２の一部は、下端部側程外方に傾斜する傾斜面で構成されている。雨水槽Ａの周囲は透水シート３３で覆われ、雨水槽Ａの内部に土砂等が流入しないようにされる。
【００２７】
先ず、流入管Ｂを接続すべき位置を考慮しながら、貯留材３１の所定の浸透孔３０に、取付部材５の上側の係止片２４を係止させた状態で、下側の係止片２５を他の浸透孔３０に係止させる。このようなワンタッチ操作により、雨水槽支管１を雨水槽Ａに確実且つ強固に取付けることができる。また、前記浸透孔３０は雨水槽Ａに予め形成されているものであるために、その有効利用が図れるという利点もある。傾斜状の取付部材本体２０は貯留材３１の傾斜面に当接し、雨水槽支管１に接続した継手６は略水平に配されることになる。次に、雨水槽支管１を取付けた雨水槽Ａの一側面を透水シート３３で覆う。この透水シート３３には、雨水槽支管１及び継手６が挿通される挿通孔(図示せず)が形成されている。その後、継手６に流入管Ｂを挿入して接続すれば、流入管Ｂの雨水層Ａへの取付作業は完了する。以上で説明したように、一連の施工作業を極めて簡易に且つ効率良く行うことができるために、作業者にかかる負担が大幅に軽減されることになる。
【００２８】
尚、流出管Ｃ及びオーバーフロー管Ｄについても同様にして、雨水槽Ａに接続すればよい。図３に示すように、本実施形態では流出管Ｃを雨水槽Ａの下部側に接続し、オーバーフロー管Ｄを上部側に接続している。
【００２９】
上述したように、通孔２及び筒状部４の中心Ｏは、フランジ部３の中心Ｏ‘よりも距離Ｌだけ上方に位置ずれさせているので、これら両中心Ｏ、Ｏ’を一致等させた場合と比較して、オーバーフロー管Ｄ等の各管体を雨水槽の上部側に配置させることが可能になる。これにより、雨水槽Ａを無駄なく、その容量を最大限利用できるようになる。
【００３０】
尚、取付部材５は、必ずしも上記実施形態のように構成する必要はなく、例えば図４に示すように構成してもよい。この取付部材５は、平板状の取付部材本体２０の外周にリブ２６が形成され、両側部のリブ２６ｄは上部側程後方に傾斜するように構成されている。また、取付部材本体２０には、上下に所定間隔を有してボルト２７が挿通される一対の円孔２８が形成されており、その上下にはボルト２７の頭部２７ａに係合する回り止め用のストッパー２８が対向配置されている。これは、ネジ杆２２に代えて別体のボルト２７を用いたものである。
【００３１】
また、本発明に係る雨水槽支管１は、流入管Ｂ等を貯留材３１の平坦な上面に接続することもできる。この場合は、例えば図５に示すように、取付部材５を平板状に形成すればよい。その他の部分については上記実施形態と同様に構成されており、係止片２４、２５を貯留材３１の上面に形成された浸透孔３０に係止させて取付ける。
【００３２】
更に、取付部材５に設けられる係止手段は、上記実施形態のような係止片２４、２５に限定されるものではない。例えば、図６に示すように、上下に所定間隔を有して一対の係止凸部４０を取付部材本体２０に設けて係止手段とし、これを貯留材３１の浸透孔３０に係止させて取付けるようにしてもよい。この場合は、係止凸部４０の先端部外周縁に離脱防止用の凸状部４１を形成しておくのが好ましい。本発明に於ける係止手段は、係止対象となる雨水槽Ａの構成に応じて任意な変更が可能である。
【００３３】
また、上記実施形態では、フランジ部３とは別体に形成された一対の取付部材５を取付部として構成しているが、取付部はフランジ部３と一体的に形成しても構わない。これによると、部品点数の削減及び組立作業の簡略化を図ることができる。
【００３４】
更に、上記実施形態に於いては、雨水槽支管１の筒状部４に受口構造として別体の継手６を設けているが、これを省略して直接管体を筒状部４に接続することも可能である。即ち、筒状部４それ自体が受口構造を構成するようにしても構わない。但し、受口構造として継手６を介して管体を接続する場合は、次のような継手６を筒状部４に設けてもよい。図７（ａ）に示す継手６は、上記実施形態の継手６と同様の構成からなる第１継手６ｂと、これに接続される第２継手６ｃとを備えている。第２継手６ｃの内周面には、凹状球面部５０が形成されており、これに球面摺動自在な凸状球面部５１を外周面に有するリング５２が嵌入されている。リング５２に挿着された管体は、継手６を介して雨水槽Ａに回動自在に接続されることになる。また、図７（ｂ）に示す継手６は、上記のものと同様の第１継手６ｂと、これに接続される第２継手６ｃと、更にこれに接続されるゴム製の第３継手６ｄとを備えている。ゴム製の第３継手６ｄは可撓性を備えているために、これに挿着された管体は継手６を介して雨水槽Ａに接続されることになる。このような継手６を雨水槽支管１に設けることにより、例えば外力が作用して雨水槽支管１に生じる振動や変位等を良好に吸収できる耐震機能を備えさせることが可能となる。特に、雨水槽支管１や管体等は地中に埋設されるものであるために、このような耐震機能を備えさせておくことは大変有効である。また、雨水槽支管１には、管軸方向に伸縮自在な継手６を設けても構わない。
【００３５】
更に、この種の雨水槽Ａや雨水槽支管１等の材質は、一般に塩化ビニルやその他の合成樹脂とされるが、本発明は決してこれに限定されない。
【００３６】
その他、雨水槽Ａ及び雨水槽支管１を構成する各部に形状や、一連の施工手順等の具体的な構成も本発明の意図する範囲内に於いて任意に設計変更自在である。
【符号の説明】
【００３７】
１    雨水槽支管
２    通孔
３    フランジ部
４    筒状部
５    取付部材
２４    係止片
２５    係止片
３０    浸透孔
４０    係止凸部
Ａ    雨水槽
【図１】
0005426950.tif 000002
【図２】
0005426950.tif 000003
【図３】
0005426950.tif 000004
【図４】
0005426950.tif 000005
【図５】
0005426950.tif 000006
【図６】
0005426950.tif 000007
【図７】
0005426950.tif 000008